(57)【要約】【課題】  煩わしい操作を必要とすることなく、画面を構成するオブジェクトの色をユーザの好みに応じてカスタマイズすることができる携帯通信端末を提供する。【解決手段】  ユーザによる操作入力に基づいて被写体を撮影し、ピクセルごとの色情報からなる画像データを生成する撮像制御部４と、画像データに基づいて色の出現頻度を算出し、複数の上位色を判別する画像データ解析部６と、画像データ解析部６により判別された各上位色に基づいて、画面を構成するオブジェクトの色を変更する表示制御部７により構成される。画像データ解析部６は、画像データの色情報を画像データの最大色数よりも色数の少ない基準色データと比較し、比較結果に基づいてピクセルごとの色を判断して出現頻度を算出する。【選択図】  図２
2007124015.tif 000002
【特許請求の範囲】
【請求項１】
ユーザによる操作入力に基づいて被写体を撮影し、ピクセルごとの色情報からなる画像データを生成する撮像手段と、
上記画像データに基づいて色の出現頻度を算出し、２以上の上位色を判別する画像データ解析手段と、
上記画像データ解析手段により判別された各上位色に基づいて、画面を構成するオブジェクトの色を変更する表示制御手段とを備えたことを特徴とする携帯通信端末。
【請求項２】
上記表示制御手段は、出現頻度が最も高い上位色と、この上位色からの色空間における距離が最も大きな上位色とをオブジェクトにおける互いに異なる領域に配置することを特徴とする請求項１に記載の携帯通信端末。
【請求項３】
上記表示制御手段は、色空間における距離が最も大きな２つの上位色をオブジェクトにおける互いに異なる領域に配置することを特徴とする請求項１に記載の携帯通信端末。
【請求項４】
上記オブジェクトは、ユーザ操作により選択可能な選択オブジェクトと、この選択オブジェクトに背景として重ねて配置される背景オブジェクトとからなり、
上記表示制御手段は、色空間における距離に基づいて上記各上位色をグループ化し、色空間における距離が最も大きな２つの上位色のうちの一方の上位色を含むグループに属する上位色を上記選択オブジェクトに使用し、他方の上位色を含むグループに属する上位色を上記背景オブジェクトに使用することを特徴とする請求項１に記載の携帯通信端末。
【請求項５】
上記表示制御手段は、各上位色の色情報を等色差性の表色系に変換して距離を判断することを特徴とする請求項２から４のいずれかに記載の携帯通信端末。
【請求項６】
上記表示制御手段は、他のオブジェクト上に重ねて表示されるポップアップウィンドウの色を変更することを特徴とする請求項１に記載の携帯通信端末。
【請求項７】
上記画像データの最大色数よりも色数の少ない基準色データを記憶する基準色記憶手段を備え、
上記画像データ解析手段は、画像データの色情報を上記基準色データと比較し、比較結果に基づいてピクセルごとの色を判断して出現頻度を算出することを特徴とする請求項１に記載の携帯通信端末。
【発明の詳細な説明】
【技術分野】
【０００１】
本発明は、携帯通信端末に係り、さらに詳しくは、ユーザによる操作入力に基づいて各種機能を選択させるメニュー画面を表示したり、メール受信を知らせるポップアップウィンドウを画面上に表示する携帯電話機などの携帯通信端末の改良に関する。
【背景技術】
【０００２】
近年、通話機能以外にも様々な機能を備えた携帯電話機が普及している。例えば、電子メールを作成して送信したり、受信した電子メールを閲覧するメール機能や、インターネット上のサーバーに接続して画像データなどを読み出すネット接続機能、被写体を撮影して画像データを生成する撮像機能を備えた携帯電話機が製品化されている。この様な携帯電話機では、各種機能を実行する際、メニュー画面を表示して機能を選択させる場合が少なくない。メニュー画面には、例えば、選択可能な機能を絵や記号を用いてグラフィカルに示す複数のアイコンが配置され、このアイコンを操作選択することにより、当該アイコンに割り当てられている機能を実行することができる。つまり、ユーザは、機能を切り替えようとするたびに、メニュー画面を表示させることとなる。また、電子メールの受信時などにメッセージが配置されたポップアップウィンドウを画面上に表示する機能を備えた携帯電話機も製品化されている。
【０００３】
この様な携帯電話機において、機能の切り替えごとに表示されるメニュー画面やアイコン、ポップアップウィンドウなどのオブジェクトをユーザの好みに応じてカスタマイズできれば極めて便利である。しかし、従来の携帯電話機では、メニュー画面やアイコン、ポップアップウィンドウなどのオブジェクトのカスタマイズが行えなかったり、オブジェクトのカスタマイズを行える場合であっても、オブジェクトを変更するための操作が複雑で煩わしいという問題があった。さらに、オブジェクトをカスタマイズする際、オブジェクトは、デフォルトで予め用意されたものにしか変更できないという問題があった。
【０００４】
なお、特許文献１には、撮影した画像を加工し、外装部材のデザインの一部として表示させる技術が開示されている。この特許文献１に記載の電子カメラは、画像データを加工し、加工後の画像データを単に撮影画像のモニター画面とは異なる画面上に表示させているに過ぎず、画面内のオブジェクトをカスタマイズするものではない。また、特許文献２には、撮影した画像データからアドレス情報を抽出し、抽出したアドレス情報に基づいてインターネット上のサーバーに接続して壁紙データを読み出させる技術が開示されている。この特許文献２に記載の携帯通信端末は、撮影画像を解析してアドレス情報を抽出し、抽出したアドレス情報に基づいてサーバーから壁紙データを取得して画面上に表示させている。つまり、この携帯通信端末は、オブジェクトを変更する際、変更用の画像データが格納されているサーバーのアドレス情報をユーザが直接入力するのに代えて、撮影画像を解析することによって入力を行うものである。従って、サーバー上に予め用意された画像データにしかオブジェクトを変更することができなかった。
【特許文献１】特開２０００−２２９９５号公報
【特許文献２】特開２００４−３２０１２１号公報
【発明の開示】
【発明が解決しようとする課題】
【０００５】
上述した通り、従来の携帯通信端末では、オブジェクトのカスタマイズを行えなかったり、カスタマイズが行える場合であっても、オブジェクトを変更するための操作が複雑で煩わしいという問題があった。さらに、オブジェクトをカスタマイズする際、オブジェクトは予め用意されたものにしか変更できないという問題があった。
【０００６】
本発明は、上記事情に鑑みてなされたものであり、ユーザによる操作入力に基づいて各種機能を選択させるメニュー画面を表示したり、メール受信を知らせるポップアップウィンドウを画面上に表示する携帯電話機などの携帯通信端末の利便性を向上させることを目的としている。特に、煩わしい操作を必要とすることなく、画面を構成するオブジェクトの色をユーザの好みに応じてカスタマイズすることができる携帯通信端末を提供することを目的としている。
【課題を解決するための手段】
【０００７】
本発明による携帯通信端末は、ユーザによる操作入力に基づいて被写体を撮影し、ピクセルごとの色情報からなる画像データを生成する撮像手段と、上記画像データに基づいて色の出現頻度を算出し、２以上の上位色を判別する画像データ解析手段と、上記画像データ解析手段により判別された各上位色に基づいて、画面を構成するオブジェクトの色を変更する表示制御手段とを備えて構成される。
【０００８】
この様な構成により、撮影された画像データに基づいて算出された色の出現頻度から判別される複数の上位色によってオブジェクトの色が自動的に変更されるので、煩わしい操作を必要とすることなく、オブジェクトをユーザの好みに応じてカスタマイズすることができる。
【０００９】
具体的には、上記表示制御手段が、出現頻度が最も高い上位色と、この上位色からの色空間における距離が最も大きな上位色とをオブジェクトにおける互いに異なる領域に配置するように構成される。或いは、上記表示制御手段が、色空間における距離が最も大きな２つの上位色をオブジェクトにおける互いに異なる領域に配置するように構成される。
【００１０】
本発明による携帯通信端末は、上記構成に加え、上記オブジェクトが、ユーザ操作により選択可能な選択オブジェクトと、この選択オブジェクトに背景として重ねて配置される背景オブジェクトとからなり、上記表示制御手段が、色空間における距離に基づいて上記各上位色をグループ化し、色空間における距離が最も大きな２つの上位色のうちの一方の上位色を含むグループに属する上位色を上記選択オブジェクトに使用し、他方の上位色を含むグループに属する上位色を上記背景オブジェクトに使用するように構成される。この様な構成によれば、色空間における距離に基づいてグループ化された各上位色が選択オブジェクトと背景オブジェクトにそれぞれ使用されるので、両者を色差、すなわち、色違いの大きな色で塗り分けることができる。具体的には、メニュー画面などにおいて、方向キーなどの操作により選択可能な機能を絵や記号を用いてグラフィカルに示すアイコンを選択オブジェクトとすることにより、アイコン及びその背景を色違いの大きな色で塗り分けることができる。
【００１１】
また、本発明による携帯通信端末は、上記構成に加え、上記表示制御手段が、各上位色の色情報を等色差性の表色系に変換して距離を判断するように構成される。この様な構成によれば、色空間における距離を心理的感覚に合致するように評価することができる。
【００１２】
また、本発明による携帯通信端末は、上記構成に加え、上記表示制御手段が、他のオブジェクト上に重ねて表示されるポップアップウィンドウの色を変更するように構成される。
【００１３】
また、本発明による携帯通信端末は、上記構成に加え、上記画像データの最大色数よりも色数の少ない基準色データを記憶する基準色記憶手段を備え、上記画像データ解析手段が、画像データの色情報を上記基準色データと比較し、比較結果に基づいてピクセルごとの色を判断して出現頻度を算出するように構成される。
【発明の効果】
【００１４】
本発明による携帯通信端末によれば、撮影された画像データに基づいて算出された色の出現頻度から判別される複数の上位色によってオブジェクトの色が自動的に変更されるので、煩わしい操作を必要とすることなく、オブジェクトをユーザの好みに応じてカスタマイズすることができる。従って、ユーザによる操作入力に基づいて各種機能を選択させるメニュー画面を表示したり、メール受信を知らせるポップアップウィンドウを画面上に表示する携帯電話機などの携帯通信端末の利便性を向上させることができる。
【発明を実施するための最良の形態】
【００１５】
実施の形態１．
図１（ａ）及び（ｂ）は、本発明の実施の形態１による携帯通信端末の一構成例を示した外観図であり、図１（ａ）には、正面から見た様子が示され、図１（ｂ）には、側面から見た様子が示されている。本実施の形態による携帯通信端末１００は、携帯電話機などの携帯可能な端末装置であり、通話機能以外にも様々な機能を備えている。例えば、電子メールを作成して送信したり、受信した電子メールを閲覧するメール機能や、インターネットなどの通信ネットワーク上のサーバーに接続するネット接続機能、被写体を撮影して画像データを生成する撮像機能を備えている。
【００１６】
携帯通信端末１００には、表示画面１１、方向キー１２、ガイドキー１３〜１７、アンテナ１８、受話用レシーバ１９ａ、送話用マイクロフォン１９ｂ及びカメラ２０が設けられている。表示画面１１は、端末筐体の操作面に配置され、各種画面の表示が行われる。具体的には、送信メールの作成画面や受信メールの閲覧画面、ネットワーク接続時の接続画面、被写体撮影時のファインダー画面などの表示が行われる。また、各種機能をユーザに選択させるためのメニュー画面の表示が行われる。また、メール受信時などには、メッセージが配置されたポップアップウィンドウが画面上に表示される。
【００１７】
方向キー１２は、押圧部位に応じて異なる操作入力が可能な多機能キーであり、表示画面１１内におけるカーソル位置や操作選択の対象を移動させる際に使用される。各ガイドキー１３〜１７は、動作状態に応じて割り当てられる機能が異なる機能キーであり、機能割り当てがソフトキーとして表示画面１１内に表示される。ガイドキー１３は、選択された機能を実行させる際などに操作されるキーであり、決定キーということもある。ガイドキー１４は、メール作成モードやメール閲覧モードに動作状態を移行させる際に使用される。ガイドキー１５は、撮影モードに移行させる際に使用され、メモリ内への撮影画像の取り込みを指示するためのレリーズ操作にも使用される。
【００１８】
カメラ２０は、被写体を撮影して画像データを生成する撮像装置であり、端末筐体における操作面とは反対側に配置される。撮影時には、ファインダー画面が表示され、ユーザは、表示画面１１をファインダーとして使用することができる。
【００１９】
この携帯通信端末１００では、メニュー画面やポップアップウィンドウなどのオブジェクトの色を撮影された画像データに基づいて変更する動作が行われる。ここでは、画面を構成する構成要素をオブジェクトと呼ぶことにする。具体的には、メニュー画面やメニュー画面内に配置されるアイコン、ポップアップウィンドウをオブジェクトと呼ぶ。この様なオブジェクトについて、オブジェクト内、或いは、オブジェクト間における互いに異なる領域についての配色が変更される。
【００２０】
図２は、図１の携帯通信端末の内部における概略構成の一例を示したブロック図である。この携帯通信端末１００は、無線通信部１、主制御部２、操作入力部３、撮像制御部４、撮影画像記憶部５、画像データ解析部６、表示制御部７、ＬＣＤ１１ａ、アンテナ１８及びカメラ２０により構成される。無線通信部１は、移動体通信網を介して基地局と無線通信を行うセルラー方式の通信手段であり、アンテナ１８を介して電子メールなどの通信データを送受信する処理を行っている。
【００２１】
操作入力部３は、ユーザが操作した入力キーに応じて入力信号を出力する動作を行っている。撮像制御部４は、カメラ２０による撮影を制御し、ユーザによる操作入力に基づいて撮影された画像データを出力する動作を行っている。この画像データは、ピクセルごとの色情報からなる。色情報としては、例えば、赤色（Ｒ）、緑色（Ｇ）、青色（Ｂ）の３つの色ごとの強度データが用いられる。撮影画像記憶部５は、撮像制御部４により出力された画像データ５ａを書き換え可能に記憶する半導体メモリである。
【００２２】
画像データ解析部６は、画像データ５ａに基づいて画像内における色の出現頻度を算出し、画像データ５ａから複数の上位色を抽出する処理を行っている。すなわち、撮影画像からピクセル数の多い色が上位色として抽出される。
【００２３】
ＬＣＤ（Liquid Crystal Display：液晶ディスプレイ）１１ａは、液晶パネル及びバックライトからなり、表示データに基づいて画面表示を行う出力装置である。表示制御部７は、ＬＣＤ１１ａの動作制御を行う制御手段であり、メニュー画面やポップアップウィンドウの表示を行っている。この表示制御部７では、画像データ解析部６により抽出された各上位色に基づいて、オブジェクトの色を変更する動作が行われる。
【００２４】
図３は、図２の携帯通信端末の要部における構成例を示したブロック図であり、画像データ解析部６が示されている。この画像データ解析部６は、色情報比較部２１、基準色記憶部２２、出現頻度算出部２３及び上位色判別部２４からなる。
【００２５】
基準色記憶部２２は、画像データ５ａの最大色数よりも色数の少ない基準色データ２２ａを記憶する不揮発性メモリである。画像データ５ａの最大色数は、ピクセルデータとして表示可能な色調数であり、色情報のビット数により規定される。基準色データ２２ａは、上記最大色数よりも色数の少ない所定の色情報からなり、色の出現頻度を算出する際の色の基準として用いられる。例えば、基準色として１００色の色を定め、各基準色を規定する色情報が色ごとに基準色データ２２ａとして予め格納される。
【００２６】
色情報比較部２１は、画像データ５ａの色情報を基準色データ２２ａと比較し、比較結果に基づいてピクセルごとの色を判別する処理を行っている。すなわち、画像内におけるピクセルごとに各基準色の中からピクセルの色情報に最も近い基準色が抽出され、当該ピクセルに関連付けられる。この様にして画像データ５aの色数を下げることにより、出現頻度算出に係る処理負荷を低減することができるとともに、所定の基準色について出現頻度を算出することができる。
【００２７】
出現頻度算出部２３は、色情報比較部２１による判別結果に基づいて、基準色ごとの出現頻度を算出する処理を行っている。ここでは、出現頻度として、基準色に関連付けられたピクセルの数が算出されるものとする。
【００２８】
上位色判別部２４は、出現頻度算出部２３により算出された出現頻度に基づいて上位色を判別し、上位色データとして出力する処理を行っている。例えば、出現頻度の最も高い基準色を含めて出現頻度の高い複数の基準色が上位色として判別される。具体的には、出現頻度の高い方から上位２０色が抽出される。
【００２９】
図４は、図２の携帯通信端末の要部における構成例を示したブロック図であり、表示制御部７が示されている。この表示制御部７は、色情報変換部３１、距離算出部３２、オブジェクト配色決定部３３及び配色情報記憶部３４からなる。色情報変換部３１は、画像データ５ａの解析によって得られた上位色データについて、色空間における距離を人の心理的感覚に合致させるために、色情報を変換する処理を行っている。
【００３０】
具体的には、各上位色について、その色情報が等色差性を有する表色系に変換される。ここでは、等色差性の表色系として、Ｌ＊ａ＊ｂ＊表色系が用いられるものとする。Ｌ＊ａ＊ｂ＊表色系は、同じ色違い（色差という）に見える色同士の距離（心理的な距離感）を均等にした色空間（均等色空間）に基づく表色系である。この均等色空間において、Ｌ＊の値は、明度指数と呼ばれる。また、ａ＊及びｂ＊の値は、いずれもクロマティクネス指数と呼ばれ、色相及び彩度に相当する。
【００３１】
例えば、ＲＧＢの強度データからなる色情報をＬ＊ａ＊ｂ＊表色系に変換する場合、ＲＧＢの各振幅値をＸＹＺ表色系に変換することによって、ＸＹＺ表色系を介してＲＧＢからＬ＊ａ＊ｂ＊表色系に変換することができる。具体的には、ＲＧＢからＸＹＺ表色系への変換について、ＲＧＢの各振幅値をＲ，Ｇ，Ｂとし、ＸＹＺ表色系における各振幅値をＸ，Ｙ，Ｚとして、次式（１）により表される。
【数１】
2007124015.tif 000003
【００３２】
ＸＹＺ表色系からＬ＊ａ＊ｂ＊表色系への変換については、パラメータをＸｎ＝０．９５０４５，Ｙｎ＝１．０，Ｚｎ＝１．０８８９２とし、変換後の各振幅値をＬ＊，ａ＊，ｂ＊として、振幅比Ｘ／Ｘｎ，Ｙ／Ｙｎ，Ｚ／Ｚｎが全て０．００８８５６よりも大きい場合、次式（２）により表される。
【数２】
2007124015.tif 000004
【００３３】
振幅比Ｘ／Ｘｎ，Ｙ／Ｙｎ，Ｚ／Ｚｎが全て０．００８８５６以下の場合には、関数ｆ（ｘ）＝７．７８７ｘ＋１６／１１６を用いて、次式（３）により表される。
【数３】
2007124015.tif 000005
【００３４】
距離算出部３２は、色情報変換部３１による変換後の色情報に基づいて、色空間における上位色間の距離、すなわち、色差を算出する処理を行っている。具体的には、２つの上位色について、Ｌ＊ａ＊ｂ＊表色系における振幅値をそれぞれ（Ｌα，ａα，ｂα）、（Ｌβ，ａβ，ｂβ）として、上位色間の距離（色差）ΔＥがユークリッド距離として、次式（４）により表される。
【数４】
2007124015.tif 000006
【００３５】
配色情報記憶部３４は、オブジェクトごとの配色情報３４ａ及び３４ｂを書き換え可能に記憶する不揮発性メモリである。配色情報３４ａ及び３４ｂは、オブジェクトの表示色を規定するデータである。オブジェクト配色決定部３３は、距離算出部３２により算出された距離情報に基づいて各上位色を２つのグループにグループ化し、各グループに属する上位色に基づいて、オブジェクト内、或いは、オブジェクト間における互いに異なる領域についての配色を決定する処理を行っている。
【００３６】
具体的には、色空間における距離ΔＥが最も大きな２つの上位色ｐ，ｑを抽出し、上位色ｐ，ｑからの距離に基づいて、各上位色がグループ化される。２つの上位色ｐ，ｑのうちの一方の上位色、例えば、ｐを含むグループＰに属する上位色と、他方の上位色ｑを含むグループＱに属する上位色とでオブジェクトの配色が決定される。ここでは、オブジェクトの配色の変更時に、配色を変更しても良いか否かが照会され、ユーザによって配色の変更が許可されると、配色情報３４ａ及び３４ｂを変更して表示データが出力されるものとする。また、ユーザによって予め指定されたオブジェクトについて、配色の変更が行われるものとする。
【００３７】
図５のステップＳ１０１〜Ｓ１０９は、図２の携帯通信端末における動作の一例を示したフローチャートであり、オブジェクトの配色の変更時における処理手順が示されている。まず、撮像制御部４は、ユーザにより配色の変更対象が指定され、そして、撮影画像の取り込みを指示するレリーズ操作が行われると、このレリーズ操作のタイミングでカメラ２０により生成された画像データを撮影画像として撮影画像記憶部５内に格納する（ステップＳ１０１〜Ｓ１０３）。
【００３８】
次に、画像データ解析部６は、撮影画像記憶部５内の画像データ５ａについてピクセルごとの色情報を基準色データと比較し、比較結果に基づいて色の出現頻度を算出する（ステップＳ１０４，Ｓ１０５）。この色の出現頻度に基づいて上位色が判別される（ステップＳ１０６）。
【００３９】
表示制御部７は、判別された各上位色について色情報をＲＧＢからＬ＊ａ＊ｂ＊表色系に変換し、色空間における上位色間の距離を算出する（ステップＳ１０７）。次に、表示制御部７は、オブジェクトの配色を変更しても良いか否かの照会を行い、ユーザにより配色の変更が許可されなければ、この処理を終了する（ステップＳ１０８）。一方、配色の変更が許可されれば、変更対象として指定されたオブジェクトの配色を距離に基づいてグループ化した各上位色に基づいて決定し、当該オブジェクトの配色情報を変更する（ステップＳ１０９）。
【００４０】
図６は、図２の携帯通信端末における画面表示の一例を示した図であり、各種機能を選択させるメニュー画面４０の様子が示されている。メニュー画面４０は、各種機能の選択画面であり、ユーザによる操作入力に基づいて待ち受け画面などから切り替えて表示される。このメニュー画面４０には、ピクト表示領域４１、タイトル表示領域４２、機能表示領域４３及びソフトキー表示領域４４が配置されている。
【００４１】
ピクト表示領域４１は、電波の受信状態や電池残量などを絵文字（pictogram：ピクトグラム）で表示する領域であり、画面内における最上段に配置されている。タイトル表示領域４２は、動作状態を文字列により表示する領域である。機能表示領域４３は、画面操作により選択可能な複数のアイコン５１〜５７を表示する領域である。このアイコン５１〜５７は、方向キーなどによる画面操作によって選択可能なオブジェクト（以下、選択オブジェクトと呼ぶことにする）であり、割り当てられた機能（アプリケーションプログラム）が絵や記号を用いてグラフィカルに示される。
【００４２】
この例では、各種機能（アプリケーションプログラム）を示すアイコンとして、ネット接続機能を示すアイコン５１や、着信音などの再生音の設定を変更する機能を示すアイコン５２、撮像機能を示すアイコン５３、メール機能を示すアイコン５４、メモリ内に格納させたデータを参照する機能を示すアイコン５５、メッセージを作成又は閲覧する機能を示すアイコン５６、及び、電卓機能及び時計機能を示すアイコン５７が配置されている。
【００４３】
ソフトキー表示領域４４は、ガイドキーの機能割り当てを表示する領域であり、画面内における最下段に配置されている。ここでは、選択対象として選択されたアイコンは、フォーカシングして表示されるものとする。なお、方向キーの操作により、選択対象を移動させることができる。また、特定のアイコンが選択された状態でソフトキーである「決定」キー６２を操作すると、当該機能が実行される。また、「戻る」キー６１を操作すれば、メニュー画面４０を表示させる前の画面に復帰させることができる。
【００４４】
この様なメニュー画面４０やアイコン５１〜５７をオブジェクトとして、上位色に基づく配色の変更処理が行われる。ここでは、画面内の各表示領域４１〜４４が上位色ｐを含むグループＰに属する上位色で配色され、アイコン５１〜５７が上位色ｑを含むグループＱに属する上位色で配色される。グループＰに属する上位色による配色は、領域内における背景色として使用される。すなわち、グループＰに属する上位色は、各表示領域４１〜４４において、絵文字や文字列、アイコン、ソフトキーなどのオブジェクトに背景として重ねて配置されるオブジェクト（以下、背景オブジェクトと呼ぶことにする）に使用される。また、タイトル表示領域４２及びソフトキー表示領域４４には、機能表示領域４３とは異ならせて同一色が配置される。
【００４５】
図７は、図２の携帯通信端末における画面表示の他の例を示した図であり、他のオブジェクト上に重ねて表示されるポップアップウィンドウ４５の表示画面４０ａの様子が示されている。この表示画面４０ａは、メール受信時に表示される画面であり、タイトル表示領域４２及び機能表示領域４３上に重ねてポップアップウィンドウ４５が表示されている。
【００４６】
このポップアップウィンドウ４５は、タイトルを表示する表示エリア４５ａと、メッセージを表示する表示エリア４５ｂからなるオブジェクトであり、メール受信を知らせるメッセージが表示されている。ここでは、この様なポップアップウィンドウ４５についても、メニュー画面４０の各表示領域４２〜４４と同様に、配色の変更処理が行われるものとする。すなわち、グループＰに属する上位色が各表示エリア４５ａ及び４５ｂ内に背景色として配置される。なお、ポップアップウィンドウ４５の表示状態において、ソフトキーである「メール」キー６３を操作すれば、受信メールの閲覧画面を表示させることができる。
【００４７】
図８は、メニュー画面の機能表示領域内に表示されるアイコンの一例を示した図であり、メール機能を示すアイコン５４が示されている。このアイコン５４は、境界線で区分された複数の領域ａ１〜ａ４，ｂ１〜ｂ５からなる。
【００４８】
具体的には、ネットワークをイメージさせる２つの円環部と、封書をイメージさせる矩形部からなる。各円環部は、それぞれ２つの領域ａ１及びａ２、並びに、ａ３及びａ４に区分されている。また、矩形部は、４つの領域にｂ１〜ｂ４に区分されている。この様な各領域について、グループＱに属する上位色が配置される。具体的には、領域ａ１〜ａ４に同一色を配置し、領域ｂ３及びｂ５には、領域ａ１〜ａ４とは異なる色がそれぞれ配置される。
【００４９】
図９（ａ）及び（ｂ）は、図２の携帯通信端末における動作の一例を示した図であり、図９（ａ）には、撮影画像７１の一例が示され、図９（ｂ）には、撮影画像７１の解析結果として決定されたオブジェクトの配色情報７２及び７３が示されている。この例では、選択オブジェクトの色（アイコン色）としてグループＱに属する上位色７２ａ〜７２ｃからなる配色情報７２が割り当てられている。また、背景オブジェクトとしてアイコン及びメニュー画面などの背景が指定され、背景色としてグループＰに属する上位色７３ａ及び７３ｂからなる配色情報７３が割り当てられている。
【００５０】
ここでは、オブジェクトの各領域に配色情報の上位色を割り当てる際の割り当て順が予め定められているものとし、色空間における距離が近いものから順に配置されるものとする。例えば、配色情報７２では、上位色ｑの次に、この上位色ｑに距離が最も近いグループＱ内の上位色が配置される。
【００５１】
図１０は、図２の携帯通信端末における動作の一例を示した遷移図であり、メニュー画面４０におけるオブジェクトの配色変更の様子が示されている。この例では、撮影画像に基づいて決定された配色情報７３に従って表示領域４２〜４４の配色が変更され、配色情報７２に従ってアイコン５１〜５７の配色が変更されている。
【００５２】
本実施の形態によれば、撮影画像に基づいて算出された色の出現頻度から判別される複数の上位色によってアイコンや背景などのオブジェクトの色が自動的に変更されるので、煩わしい操作を必要とすることなく、オブジェクトをユーザの好みに応じてカスタマイズすることができる。また、色空間における距離が最も大きな２つの上位色ｐ，ｑに基づいてグループ化された各上位色がアイコンとその背景にそれぞれ使用されるので、両者を色差、すなわち、色違いの大きな色で塗り分けることができる。
【００５３】
なお、本実施の形態では、色空間における距離が最も大きな２つの上位色ｐ，ｑによって各上位色がグループ化される場合の例について説明したが、本発明はこれに限られるものではない。例えば、出現頻度が最も高い上位色ｒと、この上位色ｒからの色空間における距離が最も大きな上位色ｓとを抽出し、これらの上位色ｒ，ｓに基づいて各上位色をグループ化しても良い。
【００５４】
また、本実施の形態では、配色情報７２及び７３がそれぞれアイコン及び背景に割り当てられる場合の例について説明したが、本発明はこれに限られるものではない。例えば、アイコン及び背景に割り当てる配色情報を選択可能であるようにしても良い。また、本実施の形態では、各グループ内の上位色について、色空間における距離が近いものから順に割り当てられるとしたが、距離の遠いものから順に割り当てても良い。この場合、配色情報７２において、上位色ｑの次に、この上位色ｑから距離が最も遠いグループＱ内の上位色が配置されることとなる。また、この様な上位色の割り当て順を選択可能であるようにしても良い。
【００５５】
また、本実施の形態では、カメラ２０により撮影された画像データを解析することによってオブジェクトの色が変更される場合の例について説明したが、本発明はこれに限られるものではない。例えば、インターネットなどの通信ネットワークを介してネットワーク上のサーバーから取得した１又は２以上の画像データがメモリ内に格納されている場合、この様な画像データの中からユーザが選択指定した画像データを解析してオブジェクトの色を変更するようなものであっても良い。
【図面の簡単な説明】
【００５６】
【図１】本発明の実施の形態１による携帯通信端末の一構成例を示した外観図である。
【図２】図１の携帯通信端末の内部における概略構成の一例を示したブロック図である。
【図３】図２の携帯通信端末の要部における構成例を示したブロック図であり、画像データ解析部６が示されている。
【図４】図２の携帯通信端末の要部における構成例を示したブロック図であり、表示制御部７が示されている。
【図５】図２の携帯通信端末における動作の一例を示したフローチャートであり、オブジェクトの配色の変更時における処理手順が示されている。
【図６】図２の携帯通信端末における画面表示の一例を示した図であり、各種機能を選択させるメニュー画面４０の様子が示されている。
【図７】図２の携帯通信端末における画面表示の他の例を示した図であり、ポップアップウィンドウ４５の表示画面４０ａの様子が示されている。
【図８】メニュー画面の機能表示領域内に表示されるアイコンの一例を示した図であり、メール機能を示すアイコン５４が示されている。
【図９】図２の携帯通信端末における動作の一例を示した図である。
【図１０】図２の携帯通信端末における動作の一例を示した遷移図であり、メニュー画面４０におけるオブジェクトの配色変更の様子が示されている。
【符号の説明】
【００５７】
１  無線通信部
２  主制御部
３  操作入力部
４  撮像制御部
５  撮影画像記憶部
６  画像データ解析部
７  表示制御部
１１  表示画面
１１ａ  ＬＣＤ
１２  方向キー
１３〜１７  ガイドキー
１８  アンテナ
１９ａ  受話用レシーバ
１９ｂ  送話用マイクロフォン
２０  カメラ
２１  色情報比較部
２２  基準色記憶部
２３  出現頻度算出部
２４  上位色判別部
３１  色情報変換部
３２  距離算出部
３３  オブジェクト配色決定部
３４  配色情報記憶部
１００  携帯通信端末
【図１】
2007124015.tif 000007
【図２】
2007124015.tif 000008
【図３】
2007124015.tif 000009
【図４】
2007124015.tif 000010
【図５】
2007124015.tif 000011
【図６】
2007124015.tif 000012
【図７】
2007124015.tif 000013
【図８】
2007124015.tif 000014
【図９】
2007124015.tif 000015
【図１０】
2007124015.tif 000016